(57)【特許請求の範囲】
【請求項１】
アイテムを受け入れて保管するように構成された容器を含む携帯ロッカーと、
前記容器に結合され、かつ該容器をロックして前記保管されたアイテムへのアクセスを阻止するように構成された第１のロックであって、該第１のロックが、無線信号を受信するように構成された検出器を含み、該無線信号の受信が、該第１のロックをロック又はアンロックさせる、第１のロックと、
前記容器に結合され、かつ第２のロックを含む拘束具であって、該第２のロックが、前記携帯ロッカーを遊園地乗り物の乗り手に固定するように構成され、該第２のロックが送信機を含む、拘束具と、
を含む、システム。
【請求項２】
前記携帯ロッカーの前記第１のロックをロックさせるための前記無線信号を送信する第１の送信機を含み、乗り物車両の乗車ゾーンの前に位置するロック制御点と、
前記携帯ロッカーをアンロックするための第２の無線信号を送信するように構成された第２の送信機を含むアンロック作動ステーションと、
を含む、請求項１に記載のシステム。
【請求項３】
リストバンドを含む鍵上に配置された送信機を含み、該送信機は、前記無線信号を送信するように構成された無線周波数（ＲＦ）チップであり、前記検出器は、無線周波数識別（ＲＦＩＤ）タグである、請求項１に記載のシステム。
【請求項４】
前記拘束具は、前記容器の第１の側に結合された第１の端部と該第１の側の反対側の該容器の第２の側に取外し可能に結合された第２の端部とを有してそれによりループを形成するコードを含み、前記第２のロックは、前記第２の端部に結合される、請求項１に記載のシステム。
【請求項５】
前記拘束具は、前記容器に結合されて第１の端部で終端する第１のストラップと、該容器に結合されて第２の端部で終端する第２のストラップとを含み、該第１の端部は、前記第２のロックの第１の部分を含み、該第２の端部は、該第２のロックの第２の部分を含み、該第２の部分は、前記携帯ロッカーを前記乗り手に固定するために該第１の部分に取外し可能に結合されるように構成される、請求項１に記載のシステム。
【請求項６】
前記第１のロックは、前記送信機を通じて前記第２のロックに通信的に結合される、請求項１に記載のシステム。
【請求項７】
前記携帯ロッカーは、前記容器に結合されたリールを有する格納式ラニヤードを通じて該容器に結合された第２の容器を含む、請求項１に記載のシステム。
【請求項８】
前記リールは、センサと該リールをロックするように構成された第３のロックとを含む、請求項７に記載のシステム。
【請求項９】
前記センサは、前記無線信号を受信し、かつ前記乗り手が乗り物車両に搭乗する前に前記第３のロックの格納モードを起動するように構成される、請求項８に記載のシステム。
【請求項１０】
アイテムを受け入れて保管するように構成された容器であって、該容器が、該容器をロックして該保管されたアイテムへのアクセスを制限するように構成された第１のロックを含み、該第１のロックが、該第１のロックをロック又はアンロックするように構成された無線信号を受信するように構成された検出器を含む、容器、
を含む携帯ロッカーと、
前記携帯ロッカーに可逆的に結合するように構成された保持バーを含む乗り物車両であって、該保持バーが、コントローラから受信されたロッキング信号に基づいて、該携帯ロッカーを受け入れ、かつ該携帯ロッカーを該保持バーにロックする固定構成と該保持バーからの該携帯ロッカーの取り出しを許す非固定構成との間で切り換わるように構成されたロッキング機構を含む、乗り物車両と、
を含む、システム。
【請求項１１】
前記コントローラは、前記携帯ロッカーの前記保持バーとの結合を検出して前記固定構成への前記ロッキング機構の前記切り換えを起動するように構成される、請求項１０に記載のシステム。
【請求項１２】
前記乗り物車両は、前記携帯ロッカーを検出するように構成された１又は２以上のセンサを含む、請求項１０に記載のシステム。
【請求項１３】
前記乗り物車両は、非固定携帯ロッカーが該乗り物車両上に存在しないという信号を発生させるように構成される、請求項１２に記載のシステム。
【請求項１４】
前記携帯ロッカーは、前記コントローラからの信号に基づいて透明度を変えるように構成された材料を含む、請求項１０に記載のシステム。
【請求項１５】
互いに結合された第１のポーチと第２のポーチとを含み、各ポーチがアイテムを受け入れて保管するように構成される、携帯ロッカーと、
前記第１のポーチに結合され、かつ該第１のポーチをロックして該第１のポーチに保管されたアイテムへのアクセスを阻止するように構成された第１のロックであって、該第１のロックをロック又はアンロックするように構成された第１の無線信号を受信するように構成された検出器を含む、第１のロックと、
前記第１のポーチ上に配置され、かつ該第１のポーチを前記第２のポーチに結合する格納式ラニヤードを含むリールであって、該格納式ラニヤードが、該格納式ラニヤードがアンロック構成にあるときに該第１のポーチに対する該第２のポーチの移動を可能にし、該格納式ラニヤードがロック構成にあるときに該第２のポーチに対する該第１のポーチの移動を阻止し、かつ第２の無線信号に応答して該ロック構成と該アンロック構成間で切り換えるために、該第２のポーチを放出し、引っ込めるように構成される、リールと、
前記第１のポーチに結合され、かつ第２のロックを含む拘束具であって、該第２のロックが、前記携帯ロッカーを遊園地乗り物の乗り手に固定するように構成される、拘束具と、
を含む、システム。
【請求項１６】
前記リールは、第３のロックとセンサとを含み、該センサは、前記第２の無線信号を受信して前記アンロック構成と前記ロック構成間で切り換えるように構成される、請求項１５に記載のシステム。
【請求項１７】
前記第２のロックは、送信機を含む、請求項１５に記載のシステム。
【請求項１８】
前記送信機は、前記第１の無線信号を送信するように構成された無線周波数（ＲＦ）チップであり、前記検出器は、無線周波数識別（ＲＦＩＤ）タグである、請求項１７に記載のシステム。
【請求項１９】
前記拘束具は、前記第１のポーチに結合されて前記第２のロックの第１の部分を有する第１の端部と該第２のロックの第２の部分を有する第２の端部とを含むベルトを含み、該第１の部分は、該第２の部分に結合して前記携帯ロッカーを前記乗り手に固定するように構成される、請求項１５に記載のシステム。
【請求項２０】
遊園地乗り物の乗り物車両の乗車ゾーンの前の前記携帯ロッカーの前記第１のロックの作動のためのロック制御点と、
前記乗り物車両の降車ゾーンと前記遊園地乗り物の出口の間の場所で前記携帯ロッカーをアンロックするように構成されたアンロック作動ステーションと、
を含む、請求項１５に記載のシステム。
【発明の詳細な説明】
【技術分野】
【０００１】
〔関連出願への相互参照〕
この出願は、２０１６年８月２４日出願の米国仮特許出願第６２／３７８，９５２号及び２０１７年５月２２日出願の米国仮特許出願第６２／５０９，５６３号の利益を主張するものである。以上の出願の各々は、これによりその全体が引用により組み込まれる。
【０００２】
本発明の開示は、一般的に遊園地の分野に関する。より具体的には、本発明の開示の実施形態は、遊園地体験中の来園者のために固定されていないアイテム(loose items)を管理するのに利用されるシステム及び方法に関する。
【背景技術】
【０００３】
独特な運動及び視覚体験を乗り手に提供するために様々な遊園地乗り物(amusement park rides)が創り出されている。例えば、テーマ乗り物は、経路に沿って進む又は運動台車を利用する一人乗り又は多人数乗り車両を使用して実施することができる。興奮は、多くの場合に、車両が乗り物経路に沿って移動する又は運動ルーチンを辿る時に車両の速度又は方向変化によって創り出される。しかし、関連する運動はまた、乗り手に所持された固定されていないアイテム（例えば、携帯電話、カメラ、鍵、財布など）を乗り手の管理から解放された状態にさせる場合がある。固定されていないアイテムが乗車中に乗り手の管理から外れた状態で、固定されていないアイテムは失われる場合があり、それは損傷する場合があり、又はそれは機器への損傷を引き起こす場合がある等々である。
【発明の概要】
【発明が解決しようとする課題】
【０００４】
従来、固定されていないアイテムは、それらを遊園地で乗り物に持ち込むことに関連付けられた問題を回避するためにロッカーに保管される。しかし、ロッカーの建設費用は、典型的には高く、ロッカーは、遊園地内の貴重な空間を永続的に占有する。これに加えて、乗り手は、多くの場合に彼らの固定されていないアイテム（例えば、携帯電話、財布、鍵、及びカメラ）をロッカーに入れたがらない。これに加えて、乗り手は、乗り物の入口で走査される乗車パス（例えば、優先権付きパス）を表示するために彼らの携帯電話を使用する場合がある。従って、乗り手の携帯電話は、乗り物に乗り込む前に容易にアクセス可能であることが必要である場合がある。乗り手は、多くの場合に、彼らが列で待っている間にそれらを使用することができるように及び他の理由で彼らの固定されていないアイテムを身に着けて保持することを好む。従って、遊園地乗り物の作動中に来園者が彼らの固定されていないアイテムを管理することを可能にする改善された固定されていないアイテムの保管システムに対する必要性が存在することが今日認識されている。
【課題を解決するための手段】
【０００５】
本発明の開示の範囲に対応するある一定の実施形態を以下に要約する。これらの実施形態は、本発明の開示の範囲を限定することを意図しておらず、むしろこれらの実施形態は、ある一定の開示する実施形態の概要を提供することだけを意図している。実際に、本発明の開示は、以下に列挙する実施形態に類似である又は異なる場合がある様々な形態を包含することができる。
【０００６】
一実施形態により、システムは、アイテムを受け入れて保管することができる容器と、その容器に結合され、かつ保管されたアイテムへのアクセスを阻止するために容器をロックすることができる第１のロックとを含む携帯ロッカー(portable locker)を含む。第１のロックは、無線信号を受信することができる検出器を含み、無線信号の受信は、第１のロックをロック又はアンロックさせる。システムはまた、容器に結合された拘束具(restraint)を含み、かつ第２のロックを含む。第２のロックは、携帯ロッカーを遊園地乗り物の乗り手に固定することができる。
【０００７】
第２の実施形態により、システムは、アイテムを受け入れて保管することができる容器を含む携帯ロッカーを含む。容器は、容器をロックして保管されたアイテムへのアクセスを制限することができる第１のロックを含み、第１のロックは、第１のロックをロック又はアンロックすることができる無線信号を受信することができる検出器を含む。システムはまた、携帯ロッカーに可逆的に結合することができる保持バー(retaining bar)を有する乗り物車両を含む。保持バーは、コントローラから受信したロッキング信号に基づいて固定及び非固定構成間で切り換えることができるロッキング機構を含む。
【０００８】
第３の実施形態により、システムは、第１のポーチと第１のポーチに対して移動するように構成された第２のポーチとを含む携帯ロッカーを含む。各ポーチは、アイテムを受け入れて保管することができる。システムはまた、第１のポーチに結合され、かつ保管されたアイテムへのアクセスを阻止するためにポーチをロックすることができる第１のロックを含む。第１のロックは、第１のロックをロック又はアンロックすることができる無線信号を受信することができる検出器を含む。システムはまた、第１のポーチ上に配置され、かつ第２のポーチに結合された格納式ラニヤード(retractable lanyard)を有するリールを含む。格納式ラニヤードは、第１のポーチに対する第２のポーチの移動を可能にするために、第２のポーチを放出し、引っ込めることができる。システムはまた、第１のポーチに結合されて第２のロックを含む拘束具を含む。第２のロックは、携帯ロッカーを遊園地乗り物の乗り手に固定することができる。
【０００９】
本発明の開示のこれら及び他の特徴、態様、及び利点は、図面全体を通して類似の文字が類似の部分を表す添付図面を参照して以下の詳細説明を読めばより良く理解されることになるであろう。
【図面の簡単な説明】
【００１０】
【図１】本発明の開示の実施形態に従って遊園地乗り物の乗り手に遊園地乗り物の入口で固定されていないアイテムの管理のための携帯ロッカーが提供される遊園地乗り物の概略図である。
【図２】本発明の開示の実施形態に従って乗り手が固定されていないアイテムを取り出すことを可能にするために乗り手によって使用される携帯ロッカーをアンロックするためのアンロッキングシステムを遊園地乗り物の出口が含む図１の遊園地乗り物の概略図である。
【図３】本発明の開示の実施形態による図１及び２の遊園地乗り物に対する固定されていないアイテムの管理のための処理流れ図である。
【図４】本発明の開示の実施形態に従って図１の遊園地乗り物の作動中に乗り手の保管された固定されていないアイテムのアクセスを阻止するロッキング機構を有し、それによってロッキング機構がアンロック構成にあるジッパー及び作動式ロックを含む携帯ロッカーの概略図である。
【図５】本発明の開示の実施形態に従ってロッキング機構のジッパー及び作動式ロックがロック構成にある図４の携帯ロッカーの概略図である。
【図６】本発明の開示の実施形態に従ってジッパーが作動式ロックのロッキングピンに結合された突起を含む図５のロッキング機構の断面図である。
【図７】本発明の開示の実施形態に従ってロッカーポーチキットが乗り手によって着用されるロッキング／アンロッキングデバイスによって起動されるポーチロックを含み、保管システムが携帯ロッカーを保管して固定する区画を有する保管ラックを含む携帯ロッカーキット及び保管システムの概略図である。
【図８】本発明の開示の実施形態に従ってポーチロックが携帯ロッカーをロック及びアンロックするための指パッドを含む図７の携帯ロッカーの概略図である。
【図９】本発明の開示の実施形態により保管システムがペグボードを有する保管ラックを含み、かつ軸腺の周りを回転する携帯ロッカーを保管して固定するための保管システムの概略図である。
【図１０Ａ】本発明の開示の実施形態により保管システムが携帯ロッカーの相補的回転特徴部を受け入れるレセプタクルを含む携帯ロッカーを保持して固定するための保管システムの図である。
【図１０Ｂ】本発明の開示の実施形態による図１０Ａの保管システムと背面上に相補的回転特徴部を有し、それによって補的回転特徴部が保管システムのレセプタクルに位置合わせされる携帯ロッカーとの図である。
【図１０Ｃ】本発明の開示の実施形態に従って相補的回転特徴部がレセプタクルに挿入され、相補的回転特徴部がレセプタクルに位置合わせされないように軸腺の周りに回転される図１０Ａの保管システム及び図１０Ｂの携帯ロッカーの図である。
【図１１】本発明の開示の実施形態に従って保管システムが可動式であり、かつ携帯ロッカーを乗車ステーション(loading station)から降車ステーションまで搬送するための移動式保管ラックを有する搬送システムを含む図１の遊園地乗り物の概略図である。
【図１２】本発明の開示の実施形態に従って保管システムが可動式であり、かつ携帯ロッカーを乗車ステーションから降車ステーションまで搬送するためのコンベヤベルトを有する搬送システムを含む図１の遊園地乗り物の概略図である。
【図１３】本発明の開示の実施形態に従って乗り物車両の座席が携帯ロッカーを乗り物車両に固定するためのロッキングシステムを有する一体型保管ラックを含む図１の遊園地乗り物の乗り物車両の一部分の概略図である。
【図１４】本発明の開示の実施形態に従ってロッキングシステムが携帯ロッカーの相補的結合特徴部に結合する１対のブラケットとロッキングシステムのロックを起動するセンサとを含む図１３の乗り物車両の概略図である。
【図１５】本発明の開示の実施形態に従って着用式ロッカーポーチが固定されていないアイテムを保管するためのポーチと着用式ロッカーポーチを乗り手に結合するための拘束具とを含み、拘束具及びポーチが各々作動式拘束ロックを有する着用式ロッカーポーチを着用している乗り手の概略図である。
【図１６】本発明の開示の実施形態に従って作動式拘束ロックが拘束具の第１の端部上の第１のコネクタと拘束具の第２の端部上の第２のコネクタとを有するバックルを含む図１５の着用式ロッカーポーチの概略図である。
【図１７】本発明の開示の実施形態による図１５の着用式ロッカーポーチの実施形態の図である。
【図１８】本発明の開示の実施形態による図１５の着用式ロッカーポーチの実施形態の図である。
【図１９】本発明の開示の実施形態による図１５の着用式ロッカーポーチの実施形態の図である。
【図２０】本発明の開示の実施形態により電話ケースと格納式ラニヤードとを有する図１５の着用式ロッカーポーチの概略図である。
【図２１】本発明の開示の実施形態により電話ケースと格納式ラニヤードとを有する図１５の着用式ロッカーポーチの概略図である。
【図２２】本発明の開示の実施形態により複数のロッカーポーチを互いの中に入れ子にした娯楽システムの概略図である。
【発明を実施するための形態】
【００１１】
本発明の開示の１又は２以上の特定の実施形態を以下に説明する。これらの実施形態の簡潔な説明を提供するために、実際の実施の特徴全てを本明細書に説明する訳ではない。いずれのそのような実際の実施の開発でも、あらゆる工学又は設計プロジェクトでのようにシステム関連及びビジネス関連の制約の遵守のような開発者の具体的な目標を達成するために、実施毎に異なる場合がある多くの実施独特の決定を行わなければならないことを認めなければならない。これに加えて、そのような開発努力は複雑で時間を消費するものになる可能性があるが、依然として本発明の開示の利益を有する当業者に対しては設計、製作、及び製造の日常業務であることを認めなければならない。
【００１２】
本発明の開示のこの実施形態は、遊園地乗り物の待ち時間にわたって乗り手のアイテムの管理を容易にすると同時に乗り手が乗り物上にいる間はアイテムへのアクセスを阻止する方式で固定されていないアイテムを管理するためのシステム及び方法に関する。例えば、開示するシステム及び方法は、乗り手が彼らの固定されていないアイテムを保管するのに使用することができる携帯ロッカー（例えば、容器、バッグ、又はポーチなど）を含む。携帯ロッカーにより、乗り物の待ち時間にわたって乗り手は彼らの固定されていないアイテムを所持し、それらにアクセスすることが可能になる。これに加えて、この実施形態は、携帯ロッカーに保管されたアイテムへの制御されたアクセスを容易にし、乗り手のアイテムを固定するのに使用されるロッキング機構へのアクセスを制限することにより、固定されていないアイテムを乗り物に引き止める制御の偶然の又は意図的な無効化を回避する。例えば、携帯ロッカーは、起動された状態で、遊園地乗り物の作動中に携帯ロッカーに保管された固定されていないアイテムに乗り手がアクセスすることを阻止することができるロッキング機構を含むことができる。遊園地乗り物の開始前にいつでもロッキング機構を起動して、乗り手の固定されていないアイテムを固定し、乗り手が遊園地乗り物を楽しんでいる時に乗り手の固定されていないアイテムへのアクセスを阻止することができる。遊園地乗り物が完了した状態で、ロッキング機構を解除して乗り手が彼らの固定されていないアイテムにアクセスする及び／又は携帯ロッカーから取り出すことができるようにする。このようにして、乗り手は、待ち時間にわたって彼らの固定されていないアイテムを管理し、遊園地乗り物の作動中に固定されていないアイテムにアクセスすることなくそれらの近くにいることができる。
【００１３】
図１は、遊園地乗り物１０の作動中に乗り手の固定されていないアイテムを保管するために携帯ロッカーを使用する遊園地乗り物１０の実施形態を示している。図示の実施形態では、遊園地乗り物１０は、乗り手１４に属する固定されていないアイテム２０を固定する携帯ロッカー１６を乗り手１４に提供するために遊園地乗り物１０の列に沿って分配点１２を含む。分配点１２は、遊園地乗り物１０の入口１８、乗車ステーション、又は入口１８と乗車ステーションの間のあらゆる他の場所に位置することができる。分配点１２に加えて、遊園地乗り物１０は、携帯ロッカー１６内への固定されていないアイテム２０の保管をモニタするために制御点(control point)２４を含む。図示の実施形態では、１又は２以上の業務員２８を分配点１２に配置して固定されていないアイテム２０をモニタし、及び／又は固定されていないアイテム２０の保管のための携帯ロッカー１６を乗り手に提供することができる。分配点１２は、遊園地乗り物１０の制御点２４（例えば、金属検出器）よりも前に配置することができる。しかし、別の実施形態では、分配点１２と制御点２４は、同じ場所内に配置することができ、又は重なることができる。本明細書に使用する場合に、制御点２４とは、携帯ロッカー１６内に固定されていないアイテムが適切に保管されて固定されていることの確認が行われる場所を示すものとする。
【００１４】
一部の実施形態では、１又は２以上の業務員２８は、娯楽体験に乗車する／参加する直前に帯ロッカー１６を乗り手１４に分配することができる。例えば、分配点１２は、遊園地乗り物１０の乗車ステーションの直前にあることができ、又は乗車ステーションと本質的に重なることができる。本明細書に使用する「乗車ステーション」とは、乗り手１４が遊園地乗り物の乗り物車両に搭乗する区域を示すものとする。一実施形態では、１又は２以上の業務員２８は、制御点２４又はロック点(lock point)の約２０又は３０フィート（約６〜９メートル）前で携帯ロッカー１６を分配することができる。しかし、携帯ロッカー１６は、遊園地内のあらゆる他の場所で（例えば、入口１８で又は遊園地への入口で）乗り手１４に分配することができる。本明細書に使用する「ロック点」とは、携帯ロッカーがロックされ、保管された固定されていないアイテムにアクセスするために開けることができないポイントを示すものとする。「ロック点」は、場所（例えば、全アイテムが、ある一定の物理的な場所を超えてロックされる）、時点（例えば、全アイテムが、特定時間の後にロックされる）、又は事象点（例えば、全アイテムが、車両移動開始のような特定の事象の前にロックされる）を指すことができる。他の実施形態では、乗り手１４は、テーマに合わせて構成され、従って、この実施形態に従って使用するために既に乗り手１４に所持されている携帯ロッカー１６を購入することができる。
【００１５】
上述のように、制御点２４を通過するよりも前に、乗り手１４に分配点１２で携帯ロッカー１６が提供される場合がある。ある一定の実施形態では、分配点１２は、固定されていないアイテム２０の存在を検出するスキャナ３０（例えば、金属検出器又は他の適切なスキャナ）を含むことができる。例えば、図示の実施形態では、スキャナ３０は、乗り手１４の身に着けた固定されていないアイテム２０について走査して検出するために１又は２以上の業務員２８によって使用することができる手持ち式スキャナである。他の実施形態では、スキャナ３０は、乗り手１４が通過することができる据付け又は固定式のスキャナとすることができる。スキャナ３０は、１又は２以上の業務員２８に乗り手１４が固定されていないアイテム２０を身に着けていると警告する。従って、１又は２以上の業務員２８は、乗り手１４に携帯ロッカー１６を与え、固定されていないアイテム２０を携帯ロッカー１６に入れるように乗り手１４に示す。他の固定されていないアイテム２０を検出するために、乗り手１４は、スキャナ３０を使用する追加の走査を受ける場合がある。乗り手の固定されていないアイテム２０が携帯ロッカー１６内に配置され、乗り手１４には他のアイテムが存在しないと決定された状態で、ロッキング機構を起動することにより携帯ロッカー１６をロックすることができる。以下で詳細に説明するように、ロッキング機構は、遊園地乗り物１０の終了後かつ乗り手１４が彼らの固定されていないアイテム２０を保管する携帯ロッカー１６を所持している時に送信されるロック解除信号を受信することなくアンロックすることはできない。
【００１６】
携帯ロッカー１６に固定されていないアイテム２０を配置してロックした後に、乗り手１４は制御点２４に進み、そこで１又は２以上の業務員２８は、固定されていないアイテム２０が携帯ロッカー１６内にロックされて固定されていることを確認する。ある一定の実施形態では、乗り手１４は、続いて遊園地乗り物１０を楽しみながら携帯ロッカー１６を保持する保管システム３４内に彼らの携帯ロッカー１６を置くことができる。保管システム３４は、遊園地乗り物１０の列に沿うあらゆる地点に配置することができる。特に、携帯ロッカー１６の保管及び取り出しのための保管システム３４へのアクセスを容易にするために、遊園地乗り物１０の乗車／セクションに又はその近くに保管システム３４を配置することが望ましい場合がある。他の実施形態では、遊園地乗り物１０の作動中に、乗り手１４が携帯ロッカー１６を所持することができるように、携帯ロッカー１６は着用可能であるか又は遊園地乗り物１０の乗り物座席に取り付けられるように構成される場合がある。従って、保管システム３４は、乗り物車両自体の中に位置するか又は省くことができ、それにより、保管システム３４の製造に関連付けられた費用を節約することができる。
【００１７】
保管システム３４が使用される実施形態では、遊園地乗り物１０の完了時に、乗り手１４は、遊園地乗り物１０から出て保管システム３４から携帯ロッカー１６を回収することができる。携帯ロッカー１６のロッキング機構を解除して、それにより、携帯ロッカー１６をアンロックし、乗り手１４が携帯ロッカー１６に保管された固定されていないアイテム２０を取り出せるようにすることができる。上述のように、遊園地乗り物１０が完了して乗り手１４が彼らの固定されていないアイテム２０を保管する携帯ロッカー１６を所持する時に、信号を受信した後でロッキング機構はアンロックすることができる。例えば、図２は、携帯ロッカー１６に通信的に結合され、携帯ロッカー１６をアンロックする信号を送信するＲＦＩＤゲート４０を有する遊園地乗り物１０の実施形態を示している。図示の実施形態では、ＲＦＩＤゲート４０は、遊園地乗り物１０の出口４２に位置する。しかし、ＲＦＩＤゲート４０は、降車セクションと出口４２の間のあらゆる他の場所に位置することができる。ＲＦＩＤゲート４０は、携帯ロッカー１６のロッキング機構をアンロックする解除信号(deactivation signal)４４を送信し、それにより、乗り手１４による携帯ロッカー１６に保管された固定されていないアイテム２０へのアクセスを提供する。ある一定の実施形態では、遊園地乗り物１０は、ＲＦＩＤゲート４０を含まない場合がある。代わりに、１又は２以上の業務員２８が、鍵カード又は他の電子鍵を使用して携帯ロッカー１６のロッキング機構を解除することができる。乗り手１４が遊園地乗り物１０を楽しんだ後で携帯ロッカー１６のロッキング機構を解除することだけで、そうでなければ遊園地乗り物１０の作動中に乗り手１４から不注意に引き離される場合がある固定されていないアイテム２０に乗り手がアクセスすることが阻止される。これに加えて、携帯ロッカー１６として固定されていないアイテムの保管を実施することにより、乗車及び降車がより効率的になる。乗り手１４は、遊園地乗り物１０内の固定の場所で止まる必要があるというより、むしろ、単に携帯ロッカー１６を保持するだけで、都合の良い時に又は出口に向けて歩いている間に携帯ロッカー１６を開けてアクセスすることができる。
【００１８】
図３は、乗り手の固定されていないアイテム２０を保管するために携帯ロッカー１６を使用する遊園地乗り物１０の実施形態の処理流れ図４６である。上述のように、乗り手１４には、分配点１２で携帯ロッカー１６が提供され、携帯ロッカー１６内に固定されていないアイテム２０を保管するように命令することができる。乗り手１４は、携帯ロッカー１６が例えばロックアクチュエータ４５によってロックされる前に、スキャナ３０を使用して追加の固定されていないアイテム２０について走査される。ロックされた状態で、乗り手１４は、続いて矢印４７に示すようにロックされた携帯ロッカー１６を保管システム３４に保管する。ロックされた携帯ロッカー１６を保管した後で、乗り手は遊園地乗り物１０の乗車ステーション４９に進む。遊園地乗り物１０の完了後に、乗り手１４は、矢印５１に示すように、ロックされた携帯ロッカー１６を保管システム３４から取り出し、第２のロックアクチュエータ５３（例えば、ＲＦＩＤゲート４０）に進み、出口４２で遊園地乗り物１０から出る前に携帯ロッカー１６をアンロックすることができる。
【００１９】
上述のように、乗り手１４は、遊園地乗り物１０を楽しむ前に携帯ロッカー１６を使用して固定されていないアイテム２０を保管して固定することができる。携帯ロッカー１６は、ロックされた後で乗り手１４が携帯ロッカー１６から固定されていないアイテム２０を取り出すのを阻止する特徴を含むことができる。このようにして、遊園地乗り物１０の作動中に、固定されていないアイテム２０を携帯ロッカー１６に受け入れることができる。以下で図１５〜２１を参照してより詳細に説明するように、携帯ロッカー１６は、乗り手１４が遊園地乗り物１０に持ち込むことができる着用式ロッカーとすることができる。従って、乗り手１４は、常に彼らの固定されていないアイテム２０を所持することができる。図４は、固定されていないアイテム２０を保管して固定するために乗り手１４によって使用することができる携帯ロッカー１６の実施形態の概略図である。携帯ロッカー１６は、この実施形態による様々なタイプの携帯ロッカーを代表している。図４に図示の実施形態に示すように、携帯ロッカー１６は、固定されていないアイテム２０（例えば、携帯電話、カメラ、鍵、帽子、財布、又はあらゆる他の適切な固定されていないアイテム）を保管するためのポーチ４８（例えば、ポーチ、容器、箱、又はバッグなど）として示されるロック可能容器を含むか、又はロック可能容器として実施される。固定されていないアイテム２０は、乗り手から引き離すことができるアイテムであるが、それにも関わらず、本明細書に定めるように、ポーチ４８に収容されて閉じ込められている間は固定されていないアイテム２０と呼ぶ場合のあることを認めなければならない。ある一定の実施形態では、ポーチ４８は、乗り手１４が固定されていないアイテム２０に直接触れるか又はアクセスすることができないように、密封又はロックされる時に固定されていないアイテム２０を完全封入方式で保管する。ポーチ４８は、密封端部５０と、閉鎖可能端部５２を開く（図４）及び閉じる（図５）ように構成されたロッキング機構５６を有する閉鎖可能端部５２とを含む。図示の実施形態では、ロッキング機構５６は、閉鎖可能端部５２の周囲６４の周りにロック５８（例えば、作動式ロック）、ジッパー６０、及びジッパー歯６２を含む。
【００２０】
ポーチ４８は、バッグ、容器、又は固定されていないアイテム２０を保持して固定するのに使用することができるあらゆる他の適切なエンクロージャを含むか、又はそれとして実施することができる。ポーチ４８は、布地、プラスチック、又はその両方のような材料から製造することができる。ある一定の実施形態では、ポーチ４８の少なくとも一部分は、乗り手１４が携帯ロッカー１６に保管された固定されていないアイテム２０を見る及び／又は使用することができるように透明とすることができる。例えば、ポーチ４８により、乗り手１４は、ポーチ４８の介在材料を通して携帯ロッカー１６内に保管された電子デバイス（例えば、携帯電話、カメラなど）のタッチスクリーン又はボタンと対話することができる。遊園地乗り物１０の待機中及び／又は作動中に、乗り手１４は、携帯ロッカー１６がロックされている間に携帯ロッカー１６を通して写真又はビデオを撮影するためにカメラ（例えば、携帯電話に搭載）にアクセス可能である。一部の実施形態では、携帯ロッカー１６は、ポーチ４８内に固定された固定されていないアイテム２０（例えば、カメラ、携帯電話など）へのアクセスを阻止又は許可するためにモード間を移行することができる場合がある。例えば、写真が許可されない区域では、ポーチ４８の電子機器への送信により、ポーチ４８が区域を透明から不透明に（例えば、液晶で）変える場合がある。従って、乗り手１４は、固定されていないアイテム２０、具体的には写真又はビデオを撮影するのに使用することができる電子デバイスにアクセスすることができない。
【００２１】
上述のように、携帯ロッカー１６は、乗り手１４が遊園地乗り物１０を楽しんでいる時に携帯ロッカー１６からの固定されていないアイテム２０の脱落を防止するためにポーチ４８内に固定されていないアイテム２０固定してロックするためのロッキング機構５６を含む。例えば、ロッキング機構５６は、図５に示すように、乗り手１４が固定されていないアイテム２０をポーチ４８に入れた後に閉鎖可能端部５２を閉じるのに使用することができる。ロッキング機構５６は、携帯ロッカー１６が遊園地乗り物１０のから離れた特定の場所（例えば、ＲＦＩＤゲート４０）に運ばれるまで又は遊園地乗り物１０の乗り物車両が降車セクションに到達するまで乗り手１４が開けられないように構成することができる。図４〜６の実施形態に示すように、ジッパー６０は、閉鎖可能端部５２を閉じてポーチ４８内に固定されていないアイテム２０を固定するためにロック５８の相補的凹部７２と係合する少なくとも１つの突起７０を含む。例えば、乗り手１４が固定されていないアイテム２０をポーチ４８に入れた後に、乗り手１４は、引張力をジッパー６０に加えて、それによってジッパー６０をロック５８に向う方向７８に移動することができる。ジッパー６０は、方向７８へジッパー６０を移動し易くするために１又は２以上の特徴部を含むことができる。図示の実施形態では、ジッパー６０は、それを方向７８に移動するために乗り手１４又は他の個人（例えば、１又は２以上の業務員２８）が掴んで引張力を加えることができるジッパープル８０を含む。ジッパー６０を方向７８に引っ張ることにより、ジッパー歯６２の接合が可能になり、それにより、図５に示すように閉鎖可能端部５２を密封する（すなわち、閉鎖する）。
【００２２】
ジッパー６０がロック５８に到達した状態で、少なくとも１つの突起７０が凹部７２に挿入される。少なくとも１つの突起７０は、ロック５８のロッキングピン８４（例えば、バネ負荷式ロッキングピン）と係合するノッチ８２を含む。例えば、図６は、ロック構成でのロッキング機構５６の実施形態を示している。図示の実施形態では、少なくとも１つの突起７０は、ノッチ８２及びロッキングピン８４によってロック５８と係合する。ロッキングピン８４の一部分８６は、ノッチ８２内に配置され、それにより、ジッパー６０をロック５８に固定する。上述のように、ロッキングピン８４は、バネ負荷式ロッキングピンとすることができる。従って、少なくとも１つの突起７０が凹部７２に挿入された時に、１又は２以上の突起７０の端面９２がロッキングピン８４を方向９４に押し、ノッチ８２がロッキングピン８４と位置合わせするまで少なくとも１つの突起７０が方向７８に動き続けられるようにすることができる。ある一定の実施形態では、少なくとも１又は２以上の突起７０を先細にし、ロッキングピン８４を方向９４に押し易くすることができる。ロッキングピン８４の方向９４への移動は、ロッキングピン８４のバネ９５を圧縮する。ノッチ８２とロッキングピン８４が位置合わせされた状態で、バネ９５は、ロッキングピン８４の一部分８６をノッチ８２にスナップ留めする又は他に挿入するように付勢し、ジッパー６０をロック５８に取外し可能に結合する。ロック構成では、少なくとも１つの突起７０は、凹部７２内に入れ子にされ、ジッパー６０の側面９６は、ロック５８の当接面９８に当接する。注意すべきであるように、ある一定の実施形態では、ロック５８は、少なくとも１つの突起７０を含む場合があり、ジッパー６０は、凹部７２とロッキングピン８４を含む場合がある。図示の実施形態は、ジッパー６０を表すが、開示する実施形態のいずれにおいても、機械式ロック、磁気式ロックなどのような他のロック及び実施が想定されていることを理解しなければならない。
【００２３】
ロッキング機構５６はまた、ロッキング機構５６をロック及びアンロックするための電子鍵として作用することができる無線周波数識別（ＲＦＩＤ）特徴１００を含む。例えば、ＲＦＩＤ特徴１００は、乗り手１４が遊園地乗り物１０を楽しむ前に起動信号を受信する受信機とすることができる。例えば、制御点２４は、ＲＦＩＤ特徴１００を検出して起動信号をロッキングシステムに送信する無線周波数（ＲＦ）チップを有することができる。起動信号を受信した状態で、ロッキング機構５６は、ロッキングピン８４を作動させてロッキングピン８４の方向９４への移動を阻止することができる。ロッキングピン８４の移動を阻止することで、ジッパー６０をロック５８から引き離すことができない。このようにして、乗り手１４は、制御点２４を通過した後に携帯ロッカー１６から固定されていないアイテム２０を取り出すことができないと考えられる。図示の実施形態では、ＲＦＩＤ特徴１００をロック５８の一部として示すが、他の実施形態では、ＲＦＩＤ特徴１００は、ジッパー６０の一部である。これに加えて、制御点２４ＲＦチップは、ロック点では、範囲内携帯ロッカー１６全てに包括的ロッキング信号を出すことができる。他の実施形態では、制御点２４ＲＦチップは、各携帯ロッカー１６のハンドシェイク通信（例えば、検出）後にロッキング信号を出すことができる。
【００２４】
携帯ロッカー１６は、遊園地乗り物１０の完了後にあらゆる時点でアンロックすることができる。例えば、乗り物１０が完了し、乗り手１４が保管システム３４から携帯ロッカー１６を取り出した状態で、ＲＦＩＤ特徴１００は、遊園地乗り物１０のＲＦＩＤゲート４０が出す解除信号を受信することができる。例えば、ＲＦＩＤゲート４０は、ＲＦＩＤ特徴１００を検出して解除信号をＲＦＩＤ特徴１００に送信するＲＦＩＤチップを含むことができる。検出された解除信号４４に応じて、ロッキング機構５６は、ロッキングピン８４をアンロックすることができる。その結果、ロッキングピン８４を方向９４に付勢することによってロッキングピン８４の一部分８６をノッチ８２から解除し、それによってジッパー６０をロック５８から解除することができる。ロッキングピン８４が閉鎖位置（例えば、部分９４がノッチ８５内にある位置）から開放位置（例えば、部分９４がノッチ８４内にない位置）まで移動した状態で、乗り手１４又は他の個人は、方向７８と実質的に反対の方向１０４にジッパー６０を引っ張り、それにより、ジッパー６０をロック５８から引き離してジッパーの歯６２を自由にすることができる。従って、閉鎖可能端部５２が開かれ、乗り手１４は、ポーチ４８から固定されていないアイテム２０を取り出すことができる。
【００２５】
ある一定の実施形態では、ロッキング機構５６は、１又は２以上のバッテリ１０８で給電することができる。従って、ロック５８は、１又は２以上のバッテリ１０８に適合するサイズのキャビティ１０６を含むことができる。非限定的な例として、１又は２以上のバッテリ１０８は、鉛−酸バッテリ、リチウムイオンバッテリ、ニッケル−カドミウム、ニッケル−亜鉛、又はロッキング機構５６に給電するのに使用することができるあらゆる他の適切なバッテリを含むことができる。
【００２６】
図７は、遊園地乗り物１０の作動中に固定されていないアイテム２０を収納するために乗り手１４を使用することができる携帯ロッカー１６の別の例を提供している。例えば、図示の実施形態では、携帯ロッカー１６は、ロッキングループ１２０、ループロック１２２、及びポーチ４８に結合されたポーチロック１２４を含む。ロッキングループ１２０は、携帯ロッカー１６の第１の側１２６から第２の側１２８まで延びる。ロッキングループ１２０は、乗り手１４が携帯ロッカー１６内に固定されていないアイテム２０を固定した後で携帯ロッカー１６を保管システム３４に固定するのに使用することができる。
【００２７】
ロッキングループ１２０は、この実施形態による様々なロッキング特徴のうちの一例であることに注意しなければならない。従って、特定の実施形態は、ロッキングループを図示して説明するが、ロッキングループ１２０は、この実施形態に従って他のロッキング特徴で置換することができる。同様に、ある一定の実施形態では、携帯ロッカー１６は、対応するロッキング特徴（例えば、箱ロック）を使用する異なる容器（例えば、箱）で置換することができる。ポーチ４８は、特定のデバイス（例えば、特定のスマートフォンタイプ）又は様々なアイテム（例えば、鍵及び財布）を受け入れるようなサイズにすることができる。異なるサイズ、色、形状、及び材料のような様々なタイプの携帯ロッカー１６が利用可能であると考えられる。
【００２８】
上述のように、携帯ロッカー１６は、遊園地乗り物１０の乗り物車両運行又は開始よりも前のあらゆる時点で乗り手に与えることができる。携帯ロッカー１６は、待機時に又はある一定の実施形態では乗り手１４が車両に乗り込むと直ちに分配することができる。乗り手１４が固定されていないアイテム２０を携帯ロッカー１６に入れると直ちに、乗り手１４はポーチロック１２４を起動することにより携帯ロッカー１６をロックし、固定されていないアイテム２０を携帯ロッカー１６内に固定することができる。ある一定の実施形態では、携帯ロッカー１６は、ポーチロック１２４を起動及び解除するロッキング／アンロッキングデバイス１３０を含むキットの一部とすることができる。ロッキング／アンロッキングデバイス１３０は、携帯ロッカー１６へのアクセスが乗り手１４又は乗り手１４が指定する個人だけに制限されるように乗り手の管理下にある場合がある。非限定的な例として、ロッキング／アンロッキングデバイス１３０は、乗り手１４に与えられる携帯ロッカー１６に固有のリストバンド、ネックレス、クリップ、リング、又は手袋などとすることができる。ある一定の実施形態では、ロッキング／アンロッキングデバイス１３０は、乗り手の遊園地入場券及び／又は乗り物搭乗パスに結合させることができる。従って、乗り手１４は、遊園地乗り物１０の作動中に常にロッキング／アンロッキングデバイス１３０を所持することができる。乗り手１４は、ロッキング／アンロッキングデバイス１３０をポーチロック１２４に近接させて（例えば、当接させる、挿入する、隣接させる）、ポーチロック１２４をロック又はアンロックすることができる。ある一定の実施形態では、ロッキング／アンロッキングデバイス１３０は、低電磁周波数エミッタを含むことができる。例えば、ある一定の実施形態では、ロッキング／アンロッキングデバイス１３０は、ポーチロック１２４に関連付けられた対応するＲＦＩＤタグ１３４と通信的に結合された無線周波数（ＲＦ）チップ１３２を含むことができる。ＲＦチップ１３２は、１又は２以上の信号をＲＦＩＤタグ１３４に送ってポーチロック１２４のロッキング及びアンロッキングを可能にすることができる。
【００２９】
ロッキングループ１２０により、乗り手１４は、ロッキングループ１２０を通して携帯ロッカー１６を保管システム３４（例えば、ラック、保管区画）に固定することができる。例えば、ロッキングループ１２０に対応するコード１４０が、ループロック１２２に結合して携帯式ロックポーチ１６を保管システム３４に固定する。図９を参照して以下でより詳細に説明するように、保管システム３４は、携帯ロッカー１６を保管システム３４に固定し易くするポーチ取り付け特徴部を含むことができる。図７には別々のロッキング機構（例えば、ループロック１２２及びポーチロック１２４）として示すが、一部の実施形態では、単一ロッキング機構が、ポーチアクセス点（例えば、ポーチロック１２４）とロッキングループ１２０の両方に対して共有される。例えば、ロッキングループ１２０のコード１４０は、レセプタクルを通過してポーチロック１２４と係合することができ、次にポーチロック１２４をロックし、ロッキングループ１２０を定位置に固定するだけでなく、ポーチ４８を閉じた状態にロックすることができる。
【００３０】
ある一定の実施形態では、携帯ロッカー１６は、ループロック１２２、ポーチロック１２４、又はその両方をロック及びアンロックするのに使用される指パッドを含むことができる。指パッドは、携帯ロッカー１６に割り当てられた乗り手１４の指紋を登録する。このようにして、携帯ロッカー１６に割り当てられた乗り手１４以外の誰も保管システム３４からポーチ４８及び／又は携帯ロッカー１６に保管された固定されていないアイテム２０を取り出すことができない。図８は、携帯ロッカー１６をロック及びアンロックするのに使用することができるポーチ４８上の指パッド１４６を有する携帯ロッカー１６の実施形態を示している。例えば、乗り手１４は、指パッド１４６に対して指を押圧することにより、ポーチロック１２４を起動及び解除することができる。指パッド１４６は、乗り手１４の指紋を格納するメモリ１４８を含むことができる。指パッド１４６が乗り手の指紋を認識すると、ポーチロック１２４が起動され、ポーチロック１２４をロックして携帯ロッカー１６に固定されていないアイテム２０を固定するか、又は解除され、ポーチロック１２４をアンロックして乗り手１４が携帯ロッカー１６からアイテムを取り出せるようにする。
【００３１】
図７に戻ると、乗り手１４が携帯ロッカー１６に固定されていないアイテム２０を固定した状態で、乗り手１４は、遊園地乗り物１０に対応する保管システム３４に携帯ロッカー１６を保管することができる。ある一定の実施形態では、保管システム３４は、携帯ロッカー１６を保管システム３４に固定するロッキング機構を有するラックを含むことができる。ロッキング機構は、乗り手１４に割り当てられた携帯ロッカー１６が別の乗り手又は遊園地来園者によって保管システム３４から取り去られることのないように乗り手１４が管理することができる。従って、図示の実施形態では、保管システム３４は、乗り手１４が遊園地乗り物１０を楽しんでいる間、携帯ロッカー１６を保管して固定するのに使用することができる複数の区画１５２を有する保管ラック１５０を含むことができる。非限定的な例として、複数の区画１５２は、グローブボックス、フック、又は棚などを含むことができる。複数の区画１５２は、一連の行及び列に配置することができ、その場合に、各行及び／又は列は、遊園地乗り物１０の乗り物車両に割り当てることができる。ある一定の実施形態では、携帯ロッカー１６は、複数の区画１５２の特定の区画に割り当てることができる。複数の区画１５２の各々は、各携帯ロッカー１６及びロッキング／アンロッキングデバイス１３０が複数の区画１５２のそれぞれの区画に割り当てられるようにラベル付けする（例えば、順番に並べる）ことができる。複数の区画１５２の各区画は、携帯ロッカー１６を区画から解除するためにポーチロック１２４と類似の方法でロッキング／アンロッキングデバイス１３０が起動及び解除される保管ロック１５６を含むことができる。このようにして、携帯ロッカー１６は、別の乗り手又は遊園地来園者によってそれぞれの区画１５２から取り去られる可能性はない。
【００３２】
携帯ロッカー１６を複数の区画１５２のそれぞれの区画に取り付けた後に、乗り手１４は、それぞれポーチロック１２４及び保管ロック１５６を起動して携帯ロッカー１６を保管ラック１５０に固定することができる。別の保管ラックは、異なる係合特徴を含むことができる（図９及び１０Ａ参照）。乗り手１４が携帯ロッカー１６をロックして保管した状態で、乗り手１４は、遊園地乗り物１０の対応する乗り物車両に搭乗することができる。乗り手１４は、遊園地乗り物１０の作動中にロッキング／アンロッキングデバイスを保持し、それによって乗り手に安心感を与えることができるが、その理由は、乗り手は彼らの固定されていないアイテムが知らない間に遊園地乗り物１０から取り去られることがないからである。乗り物体験の完了後に、続けて乗り手１４はポーチロック１２４及び保管ロック１５６をそれぞれアンロックし、携帯ロッカー１６から固定されていないアイテム２０を取り出すことができる。携帯ロッカー１６から彼らのアイテムを取り出した状態で、乗り手１４は、携帯ロッカー１６を回収して遊園地乗り物１０の他の乗り手による再利用を可能にすることができる回収箱に携帯ロッカー１６を入れることができる。
【００３３】
保管システム３４は、静止又は可動とすることができる。すなわち、保管システム３４は、１つの場所に恒久的に固定することができ、又は遊園地乗り物１０内で１つの場所から別の場所へ（例えば、乗車ステーションから降車ステーションまで）移動することができる。例えば、保管システム３４は、遊園地乗り物１０の乗車及び降車ステーションに近い中央場所に位置することができる。乗り手１４は、乗り物車両に搭乗する前に保管システム３４に近寄って携帯ロッカー１６を保管して固定することができる。同様に、乗り手１４は、乗り物車両から降りた後で保管ステーション３４に近寄って保管されたアイテムを取り出すことができる。一実施形態では、保管ステーション３４に関連付けられた複数の区画１５２は、搭乗ステーションに面する保管側と、降車ステーションに面する受け取り側とを含むことができる。例えば、複数の区画１５２の各区画は、保管側に第１のドアと、受け取り側に第２のドアとを含むことができ、各ドアはロックを有する。このようにして、保管システム３４での混雑を緩和するために、乗り手１４は、乗り物車両に搭乗する前に（例えば、乗車点上流側の乗込み列から）第１のドアを通して保管側にアクセスすることができ、降車ステーションから（例えば、退場列から）第２のドアを通して受け取り側にアクセスすることができる。この両面ロッカーは、乗り物への乗込み中に来園者が乗車側にアイテムを置くためにドアが開き、次に乗り物１０の作動中は閉じるように機械的に作動させることができる。同様に、乗り手が退場している場合に、降車中は降車側から開くようにドアを作動させることができる。
【００３４】
ある一定の実施形態では、複数の区画１５２は、携帯ロッカー１６を保管システム３４の上に掛けて固定するのに使用することができるポーチ取り付け特徴部（例えば、ペグ又はフックなど）を含む。例えば、乗り手１４は、複数の区画１５２のそれぞれの区画に関連付けられたポーチ取り付け特徴部にロッキングループ１２０（又は他の何らかのロッキング機構）を取り付けることができる。図９は、保管システム３４の例示的実施形態であり、ここでは、保管ラック１５０は、携帯ロッカー１６の保管システム３４への取り付け及び固定を容易にすることができるペグボード１５７又は他の類似のボードである。ペグボード１５７は、ポーチのロッキングループ１２０と係合して携帯ロッカー１６を保管棚１５０に保持して固定することができる複数のペグ１５８（例えば、突起）又はあらゆる他の適切な支持体（例えば、フック又はラッチなど）を含むことができる。保管ラック１５０の面１５９から延びる各ペグ１５８は、特定の携帯ロッカー１６に対応する番号又は他の識別子を割り当てることができる。乗り手１４は、図７に関連して上述したように、携帯ロッカー１６をそれぞれのペグ１５８に固定することができる。
【００３５】
一部の実施形態では、複数の区画１５２又は他の何らかの保管システム３４は、特定の乗り手に対して単一ドア又はアクセス点しか存在しないように回転することができる。例えば、保管ラック１５０は、両側にペグボード１５７（又は他の保管特徴部）を含み、乗り物１０の入口点で保管ラック１５０に置かれたものと同じアイテムが乗り物１０の出口点でアクセス可能であるようにモータ駆動式スピンドルの周りを回転することができる。例えば、図９に示すように、保管システム３４は、軸腺１６４の周りに回転して乗り手１４による携帯ロッカー１６の保管及び回収を容易にするように構成されたスピンドル１６２を含む。保管システム３４は、保管ラック１５０の第１の側１６６が乗車ステーションに面し、保管ラック１５０の第２の側１６８が降車ステーションに面する方式で遊園地乗り物１０の乗車及び降車ステーションの間に配置することができる。このようにして、乗車ステーションに位置する乗り手の第１の群は、それぞれの携帯ロッカー１６をロックして第１の側１６４の保持部材１５８に固定することができ、降車ステーションにいる乗り手の第２の群は、それぞれの携帯ロッカー１６をアンロックして第２の側１６８から取り出すことができる。乗り手の第２の群がそれぞれの携帯ロッカーをアンロックし取り出した状態で、矢印１７０に示すように、保管ラック１５０のスピンドル１６２を軸腺１６４の周りに回転させ、乗車ステーションにいる乗り手の群がそれぞれの携帯ロッカー１６をロックして保管ラック１５０の第２の側に位置する保持部材１５８に固定することができ、かつ遊園地乗車１０を楽しんだ後で乗り手の第１の群がそれぞれの携帯ロッカー１６をアンロックして回収することができる。スピンドル１６２の回転は、手動で又は機械的に達成することができる。例えば、図示の実施形態では、スピンドル１６２は、軸腺１６４の周りにスピンドル１６２を回転させるモータ１７２に結合されている。しかし、ある一定の実施形態では、１又は２以上の業務員１２８が保管ラック１５０を手動で回転させる場合がある。一部の実施形態では、保管区域（例えば、ロッカー又はペグセクション）の各個々のもの又は部分集合がそれぞれの軸腺の周りを回転して類似の結果を達成することができる。
【００３６】
図１０Ａは、携帯ロッカー１６上の相補的特徴部に結合するように構成された結合特徴部を有する保管システム３４の代替実施形態を示している。例えば、図１０Ａに示す実施形態では、保管システム３４は、携帯ロッカー１６に関連付けられた相補的回転ロッキング特徴部を受け入れるように構成された特定形状（例えば、細長）のレセプタクル１７８を有する壁１７６を含む。別の例では、図１０Ｂは、回転ロッキング特徴部１８０によって携帯ロッカー１６を固定するのに使用することができる保管システム３４の実施形態の概略図である。図示の実施形態では、回転ロッキング特徴部１８０は、携帯ロッカー１６のポーチ４８の面１８４から離れて半径方向まで延びる第１のバー１８２と、第１のバー１８２に直交するように配置された第２のバー１８６とを含む。第２のバー１８６は、第１のバー１８２の軸腺１９０の周りに回転してアンロック構成とロック構成（図１０Ｃ）間で回転ロッキング特徴部１８０を移動するように構成される。図１０Ｂに示すように、壁１７６の前面１９２上のレセプタクル１７８は、位置合わせ構成で回転ロッキング特徴部１８０を受け入れるように配置することができる（例えば、アンロック時に回転ロッキング特徴部１８０のバー１８２、１８６が平行に位置合わせされる）。バー１８２、１８６がレセプタクル１７８を通して配置された状態で、第２のバー１８６が第１のバー１８２に対して回転して回転ロッキング特徴部１８０をロック構成に移し、アンロックされるまで壁１７６からの携帯ロッカー１６の引抜きを防止するように回転ロッキング特徴部１８０を作動させることができる。例えば、図１０Ｃは、矢印１９６に示すように、第２のバー１８６が軸腺１９０の周りに回転した保管システム３４の背面１９４を示している。図１０Ｃに示すように、第２のバー１８６は、レセプタクル１７８の最も幅広の寸法２００に直交している。このようにして、携帯ロッカー１６を保管システム３４上に保持することができる。他の実施形態では、異なる形状（例えば、星形、三角形、正方形、又は人物プロファイル）を使用することができる。
【００３７】
ある一定の実施形態では、保管システム３４は、複数の携帯ロッカー１６を固定するロッカーを含むことができる。例えば、乗り手がそれぞれの携帯ロッカー１６のロッキング機構（例えば、ロッキング機構５２、ポーチロック１２４）を作動させた状態で、乗り手１４は、ロックされた携帯ロッカー１６を保管システム３４のロッカーに入れることができる。保管システム３４の各ロッカーは、遊園地乗り物１０の乗り物車両に関連付けることができる。従って、同じ乗り物車両に割り当てられた各乗り手１４のロックされた携帯ロッカー１６がロッカーに置かれた状態で、遊園地乗り物の１又は２以上の業務員２８又はオペレータはロッカーをロックし、遊園地乗り物１０の作動中に乗り手の携帯ロッカー１６を固定することができる。ある一定の実施形態では、ロッカーは、自動的にロックすることができる。例えば、全ての乗り手１４がロッカーに関連付けられた乗り物車両に固定された状態で、制御システムは、ロックを起動する信号をロッカーに送信することができる。一部の実施形態では、これは、保管システム３４のより大きいロッカー内の携帯ロッカー１６の存在を検出する段階を含むことができる（例えば、重量測定又は無線通信を通じて）。制御システムはまた、遊園地乗り物１０の体験が完了した後にロッカーをアンロックすることができる。例えば、乗り物車両が降車ステーションに入る又はアンロックゲートを通過するなどの時である。
【００３８】
一部の実施形態では、ロッカーは、乗り物車両への進入路上の床区域又は頭上区域に又は乗り物車両自体に位置することができる（例えば、乗り物車両２２６、図１１を参照）。ロッカーは急に床から現れたり、天井から降りたりして乗り手１４が彼らの所持品をロッカーに入れられるようにすることができる。乗り手１４を適切に着座させて拘束した後で、ロッカーは床又は天井の中に引っ込み、その後に乗り物が戻って乗り手１４が退場している時に再び開いて乗り手は所持品を取り戻すことができる。
【００３９】
ある一定の実施形態では、保管システムは、可動とすることができる。すなわち、保管システムは、遊園地乗り物１０内の１つの場所から別の場所へ携帯ロッカー１６を移動する特徴を含むことができる。例えば、携帯ロッカー１６をロックして保管システムに固定した後に、保管システムは、携帯ロッカー１６を乗車ステーションから降車ステーションまで搬送することができる。移動式保管システムにより、乗り手は、割り当てられた携帯ロッカー１６を降車ステーションとは異なる場所にあることになる遊園地乗り物１０の乗車ステーションで保管システム３４に固定することができる。例えば、図１１は、携帯ロッカー１６を乗車ステーション２１２から降車ステーション２１４まで搬送する移動式保管システム２１０を有する遊園地乗り物１０の実施形態を示している。移動式保管システム２１０は、遊園地乗り物１０の乗車ステーション２１２から降車ステーション２１４まで延びる搬送システム２１８を含む。搬送システム２１８は、１又は２人以上の携帯ロッカー１６を保持する保管ラック２２０を受け入れることができ、又は個々の携帯ロッカー１６を受け入れることができる。搬送システム２１８は、乗り手１４が遊園地乗り物１０を楽しんでいる間に、ラック２２０及び／又は個々の携帯ロッカー１６を乗車ステーション２１２から降車ステーション２１４に移動する。
【００４０】
例えば、乗り手１４が乗り物車両２２６に搭乗する前に、乗り手１４は、上述のようにロッキング機構（例えば、ロッキング機構５６又はポーチロック１２４）を起動して携帯ロッカー１６内に固定されていないアイテム２０をロックすることができる。ロックされた状態で、乗り手１４又は１又は２以上の業務員２８は、ロックされた携帯ロッカー１６を乗車ステーションでラック２２０に固定することができる。携帯ロッカー１６の取り付けの後に、続いて乗り手１４は乗り物車両２２６に搭乗し、遊園地乗り物１０を楽しむことができる。搬送システム２１８は、降車ステーション２１４に向う方向２３０にラック２２０を移動することにより、携帯ロッカー１６を搬送することができる。搬送システム２１８は、コンベヤベルト、レールシステム、又は携帯ロッカー１６を乗車ステーション２１２から降車ステーション２１４へ移動するあらゆる他の適切な搬送システムを含むことができる。搬送システム２１８は、保管ラック２２０及び／又は携帯ロッカー１６を搬送システム２１８上に支持して固定するフック、ファスナ、又はコネクタなどのような保持特徴部を含むことができる。
【００４１】
ある一定の実施形態では、搬送システム２１８の一部分は、乗り物車両２２６の下方に配置することができる。これは、遊園地乗り物１０の乗車ステーション２１２が乗り物車両２２６の一方の側に位置し、降車ステーション２１４が乗り物車両２２６の反対側に配置される実施形態で役立たせることができる。すなわち、搬送システム２１８のポーチ保管セクション（例えば、乗り手１４が携帯ロッカー１６を保管システム３４に固定するセクション）は、乗り物車両２２６の降車側及びポーチ受け取りセクション（例えば、乗車１４が乗り物車両２２６から降りた後で携帯ロッカー１６を取り出すセクション）と実質的に反対側の乗り物車両２２６の乗車側に位置することができる。搬送システム２１８は、図１１に示すように、搬送システム２１８が遊園地乗り物１０の作動を妨げないように遊園地乗り物１０の乗り物軌道２３２の下を乗車ステーション２１２から降車ステーション２１４まで延びることができる。従って、携帯ロッカー１６は、乗車ステーション２１２から降車ステーション２１４まで搬送される時に、乗り物軌道２３２のすぐ下にある経路を辿る。このようにして、搬送システム２１８は、遊園地乗り物１０の作動中に乗り物車両２２６の運行経路を妨げない。
【００４２】
他の実施形態では、搬送システム２１８の少なくとも一部分は、軌道２３２及び乗り物車両２２６の上方に配置することができる。しかし、搬送システム２１８は、携帯ロッカー１６を乗車ステーション２１２から降車ステーション２１４まで搬送して遊園地乗り物の作動中に軌道２３２に沿う乗り物車両２２６の移動を妨げないあらゆる他の場所に配置することができる。従って、乗り手１４は、乗り物車両２２６から降りると直ちに自分に割り当てられた携帯ロッカー１６を降車ステーション２１４で取り出し、乗り物１０から出る前に降車ステーション２１４で又はその近くで携帯ロッカー１６から固定されていないアイテム２０を回収することができる。例えば、乗り物管理者／業務員（遊園地の従業員）は、搬送システム２１８からラック２２０及び／又は携帯ロッカー１６を取り出し、乗り物１０の出口で受け取るために指定の場所にそれを配置することができる。ある一定の実施形態では、ラック２２０及び／又は携帯ロッカー１６は、機械システム（例えば、ロボットアームなど）で受け取るために搬送システム２１８から指定の場所に移動することができる。
【００４３】
他の実施形態では、遊園地乗り物１０の乗車ステーション２１２と降車ステーション２１４は、乗り物車両２２６の同じ側に位置することができる。この特定の構成では、乗り手は、図１１に示すような異なる側とは対照的に、同じ側から乗り物車両２２６に出入りする。例えば、図１２は、乗り物車両２２６及び乗り物軌道２３２の同じ側に配置された乗車ステーション２１２と降車ステーション２１４を有する遊園地乗り物１０の実施形態を示している。この特定の実施形態では、搬送システム２１８は、軌道２３２の少なくとも一部分と平行な経路に沿って携帯ロッカー１６を搬送する。例えば、図示の実施形態では、搬送システム２２０は、乗車ステーション２１２のポーチ落下地点２４０から降車ステーションのポーチ受け取り地点２４６まで方向２３８に携帯ロッカー１６を搬送するコンベヤベルト２３６を含む。乗り手１４は、乗車ステーション２１４で乗り物車両２２６に搭乗する前に、彼らのロックされた携帯ロッカー１６をコンベヤベルト２３６の面に置くことができる。コンベヤベルト２３６は、各乗り手１４が使用する乗り物車両２２６が降車ステーション２１４に到着するのとほぼ同時にロックされた携帯ロッカー１６をポーチ受け取り地点２４６に届ける速度で移動することができる。他の実施形態では、コンベヤベルト２３６は、ロックされた携帯ロッカー１６をポーチ受け取り地点に位置する容器に供給することができる。
【００４４】
乗り手は、ポーチ受け取り地点２４６で容器からそれぞれの携帯ロッカー１６を取り出すことができる。例えば、各乗り物車両２２６には容器を割り当てることができる。従って、乗り手１４は、自分が降りた乗り物２２６に割り当てられた容器に近寄ってそれぞれの携帯ロッカー１６を取り出すことができる。携帯ロッカー１６の取り出しに続いて、乗り手１４は、上述のように、ロッキング機構５６又はポーチロック１２４を電磁的に（例えば、ＲＦＩＤゲート４０、ロッキング／アンロッキングデバイス１３０などを通じて）又は機械的に（例えば、鍵又は類似のデバイス）アンロックすることができる。
【００４５】
一実施形態では、携帯ロッカー１６は、乗車ステーション２１２から降車ステーション２１４への又は乗り手１４が保管された固定されていないアイテム２０を取り出せる他の場所への経路を辿る車輪上の自律車両として又はそれと併せて実施することができる。自律車両は、それが遊園地来園者及び／又は物体（例えば、壁及び遊園地構造物など）と衝突することを阻止する特徴（例えば、センサ）を含むことができる。ある一定の実施形態では、携帯ロッカー１６は自律的でない場合がある。むしろ、携帯ロッカー１６は、乗車ステーション２１２から遊園地乗り物１０に関連付けられた固定されていないアイテムの受け取り場所までの定められた経路（例えば、軌道又は具体的に空間に基づいてプログラムされた経路）を辿る車輪を含むことができる。携帯ロッカー１６の各々は、乗り物車両の座席の高さまで携帯ロッカー１６を持ち上げるか又は乗り物車両の座席の前に携帯ロッカー１６を配置するためのアクチュエータを有し、乗り物車両２２６に搭乗した後で乗り手が固定されていないアイテム２０を携帯ロッカー１６に入れられるようにすることができる。
【００４６】
上述のように、携帯ロッカー１６を使用して固定されていないアイテム２０を保管して固定し、遊園地乗り物１０の作動中に固定されていないアイテム２０が乗り手から引き離されないようにすることができる。遊園地乗り物１０に乗っている間、遊園地来園者（例えば、乗り手１４）は、彼らの固定されていないアイテムから離れるのを望まない可能性があることが今日認識されている。これに加えて、遊園地乗り物１０を楽しんでいる間に彼らのビデオ又は写真を撮影することで乗り物体験を残すことが乗り手には望ましい場合がある。従って、携帯ロッカー１６は、乗り手１４が携帯ロッカー１６を自分自身に又は乗り物車両２２６に固定することができるように構成することができ、従って、固定されていないアイテム２０は乗り手１４に所持された状態にある。
【００４７】
上述のように、遊園地乗り物の乗り手は、保管された彼らのアイテムを常に所持していたいと望む可能性がある。すなわち、特定の乗り手は、乗り物車両２２６から離れた遠隔区域に彼らのアイテムを保管している間は安心でいることができない。従って、携帯ロッカー１６を遊園地乗り物１０の乗り物車両２２６（例えば、乗り物座席）に固定することが乗り手１４には望ましい場合がある。これに加えて、乗り手１４が携帯ロッカー１６と共に乗り物１０に搭乗して携帯ロッカー１６を乗り物車両２２６に固定することができるようにすることにより、乗り手１４は、携帯ロッカー１６に保管された固定されていないアイテム２０に引き続きアクセスすることができ、アイテム２０は、乗り手１４の視線方向に存在することができる。これに加えて、乗り手１４が乗り物車両２２６上に携帯ロッカー１６を収納することができるようにすることで、ポーチ保管／落下及び受け取りステーション２４０、２４６のそれぞれにおいて乗り手の待ち時間及び混雑を軽減することができる。
【００４８】
図１３は、携帯ロッカー１６を乗り物車両２２６に固定するのに使用することができる一体型保管システム２５０を有する乗り物車両２２６の実施形態である。例えば、図示の実施形態では、一体型保管システム２５０は、乗り物座席２５４（例えば、乗り物座席の背もたれ）に結合することができる。一体型保管システム２５０は、上述の保管ラック１５０と類似の方法で携帯ロッカー１６を乗り物車両２２６に固定するために携帯ロッカー１６の相補的特徴部と係合する１又は２以上の保持特徴部を有する保持バー２５８を含むことができる。例えば、保持バー２５８は、遊園地乗り物１０の作動中に乗り物車両２２６内に携帯ロッカー１６を受け入れて保持するフック、クリップ、ペグ、ビン、ポケット、又はコネクタなどを含むことができる。図示の実施形態では、保持バー２５８は、携帯ロッカー１６が保持バー２５８を有する乗り物座席２５４の後ろの乗り物座席を占める乗り手１４の前にあるように乗り物座席２５４の背部２６０に配置される。しかし、保持バー２５８は、乗り物車両２２６のあらゆる部分（例えば、側壁、乗り物座席の下、座席、又は列の分割部など）に配置することができる。
【００４９】
一実施形態では、携帯ロッカー１６は、乗り手１４が携帯ロッカー１６内に保管された電子機器のタッチスクリーン又はボタンにアクセス可能であるように透明である場合がある。例えば、乗り手１４は、携帯ロッカー１６が乗り物車両２２５に固定されている間に、携帯ロッカー１６を通して写真又はビデオを撮影するためにカメラ（例えば、携帯電話に搭載）にアクセス可能である。そのような実施形態では、乗り物車両２２６への取り付け点（例えば、一体型保管システム２５０）は、乗り物１０中にカメラが当該の点（例えば、乗り手又はこれから先の乗り物経路）に向けられるように配置することができる。携帯ロッカー１６及び一体型保管システム２５０は、乗り物１０中にビデオデータ（例えば、写真又はビデオ）を取り込むために適正な位置合わせを容易にするインジケータを含むことができる。
【００５０】
ある一定の実施形態では、一体型保管システム２５０の保管ロックは、遊園地乗り物１０の制御システムによって起動することができる。例えば、図１４は、乗り物車両２２６の乗り物座席２５４が、遊園地乗り物１０の保持バー２５８及び制御システム２７２に通信的に結合された１又は２以上のセンサ２７０を含む遊園地乗り物１０の実施形態を示している。１又は２人以上のセンサ２７０は、乗り物座席２５４が占有されていること及び携帯ロッカー１６を一体型保管システム２５０に固定する必要があることを示す信号２７４を保持バー２５８及び／又は制御システム２７２に送信することができる。例えば、近距離無線通信を利用して、乗り手１４が携帯ロッカー１６又はスマートフォンを有して着座区域にいると決定することができる。そのような決定に応じて、携帯ロッカー１６を一体型保管システム２５０に取り付けるように乗り手１４を促すことができる。携帯ロッカー１６が一体型保管システム２５０の上に取り付けられた状態で、保持バー２５８は、携帯ロッカー１６が取り付けられたことを示す別の信号２７６を制御システム２７２に送信する。携帯ロッカー１６の保持バー２５８への取り付けに続いて、制御システム２７２は、一体型保管システム２５０のロッキング機構を起動し、携帯ロッカー１６を乗り物車両２２６の保持バー２５８に保持して固定する。制御システム２７２は、乗り物車両２２６内の全ての携帯ロッカー１６が一体型保管システム２５０に固定されたことを検出した状態で、乗り物車両２２６を乗車ステーション２１４から解除する。ある一定の実施形態では、制御システム２７２は、例えば、乗り手１４が携帯ロッカー１６に保管する必要がある固定されていないアイテム２０を持たない状況では、乗り物１０のオペレータが携帯ロッカー１６の保持バー２５８への取り付けを省くことを可能にすることができる。
【００５１】
一実施形態では、図１４に示すように、一体型保管システム２５０の保持バー２５８は、携帯ロッカー１６上に配置された相補的特徴部を受け入れるようなサイズ及び形状の１対のブラケット２８０を含むことができる。相補的特徴部はブラケット２８０と係合して携帯ロッカー１６を乗り物車両２２６に保持することができる。例えば、相補的特徴部は、外面２８６の少なくとも一部分に配置され、携帯ロッカー１６の長手軸腺２８８に沿って延びるＩ字形梁２８４又は他の類似の特徴部を含むことができる。Ｉ字形梁２８６は、１対のブラケット２８０によって定められたチャネル２９０の中に摺動して携帯ロッカー１６を乗り物車両２２６に保持することができる。
【００５２】
１又は２以上のセンサ２７０（例えば、電磁センサ）は、無線通信リンクを通じて携帯ロッカー１６に位置する送信機２９４から信号２９２を受信することができる。携帯ロッカー１６上の送信機２９４によって送信される信号２９２は、携帯ロッカー１６が乗り物車両２２６内にあることを示すことができる。１又は２以上のセンサ２７０は、携帯ロッカー１６が一体型保管システム２５０内に保持されていることを検出した状態で、ロッキング機構２９８（例えば、ラッチのような機械式ロック）を起動して携帯ロッカー１６を一体型保管システム２５０に固定するロッキング信号２７４をロッキング機構２９８に出力することができる。このようにして、固定信号２７４又は非固定信号の受信に基づいて、保持バー２５８及び／又はそれに関連付けられたロック要素を非固定構成(unsecured configuration)から固定構成(secured configuration)に切り換えることができる。携帯ロッカー１６が一体型保管システム２５０に固定された状態で、一体型保管システム２５０は、携帯ロッカー１６が乗り物車両２２６に固定されたことを示す信号２７６を遊園地乗り物１０の制御システム２７２に送信することができる。制御システム２７２は、携帯ロッカー１６が固定されて乗り物車両２２６が乗車ステーション２１２から解除されたことを示すために乗り物車両２２６上のライト３００を起動することができる。１又は２以上のセンサ２７０が、携帯ロッカー１６が乗り物車両２２６内にあることを検出するが、携帯ロッカー１６が一体型保管システム２５０内に保持されていることを検出しない場合に、信号２７４は、制御システムに出力されず、乗り物車両２２６は乗車ステーション２１２から解除されない。この特定の実施形態では、ライト３００は起動されず、又は乗り物車両２２６を解除することができないことを示す色を表示することができる。例えば、ある一定の実施形態では、携帯ロッカー１６が乗り物車両２２６内に固定されていないこと（例えば、乗り物車両２２６が１又は２以上の非固定携帯ロッカー１６を積んでいること）を遊園地乗り物１０のオペレータに警告するために、ライト３００は赤色とすることができる。乗り物車両２２６はまた、検出された携帯ロッカー１６全てが固定されている場合に移動を許可するか、又は１又は２以上の非固定携帯ロッカー１６の検出に基づいて移動を阻止するかのいずれかの信号を中央コントローラに送信することができる。
【００５３】
ある一定の実施形態では、一体型保管システム２５０は、乗り物座席２５４の座席底面(seat pan)３０２の下にある場合がある。座席底面３０２は、座席ベースと座席底面カバーの間に保管空間を含むことができる。保管空間は、座席カバーが第１の位置にある時にアクセス可能（例えば、開いている）とすることができ、座席底面カバーが第２の位置にある時に閉じられる（例えば、ロックされる）。例えば、座席底面カバーは、第１の位置にある時に乗り物座席２５４が占有されていない場合に、乗り物座席２５４の背もたれ３０４と平行に配置することができる。従って、保管空間は、乗り手１４がアイテムを収納するために容易にアクセス可能にすることができる。乗り手１４が保管空間にアイテムを収納した状態で、乗り手１４は、座席底面カバーを第２の位置まで下げることができる。例えば、第２の位置では、座席底面カバーは、グローブボックスの上に乗り手１４が乗り物座席２５４を占有する（例えば、座る）ことを可能にするように背もたれ３０４と直交することができる。従って、アイテム２０は、遊園地乗り物１０の作動中に座席底面３０２の保管空間内に固定することができる。乗り手１４は、遊園地乗り物１０の体験の完了後に席を立つ時に収納されたアイテム２０を取り出すことができる。このようにして、乗り手１４は、遊園地乗り物１０の作動中に彼らのアイテムを所持していることができる。これに加えて、乗り手１４は乗り物座席２５４に着座させられて拘束されているので、乗り手１４は、遊園地乗り物１０の作動中に乗り物座席２５４内の保管空間から収納されたアイテム２０を取り去ることができないと考えられる。ある一定の実施形態では、座席底面３０２は、乗り手１４がアイテム２０を保管空間に収容した後で座席底面カバーをベースに固定するためのロッキング機構（例えば、機械式ロック、ラッチ、又はフックなど）を含むことができる。一体型保管システム２５０の構成によらず、携帯ロッカー１６は、乗り物１０の完了時に一体型保管システム２５０から解除されるものとすることができ、例えば、コントローラは、車両２２６の降車区域内への進入時に解除信号を一体型保管システム２５０に送信することができる。解除信号は、保持バー２５８の非固定構成への切り換えをトリガし、ある一定の実施形態では、乗り手１４が携帯ロッカー１６を取り去ることができるという可視インジケータをトリガすることができる。これに加えて、一体型保管システム２５０から携帯ロッカー１６を解除する制御は、乗り手１４がポーチ４８をアンロックすることができるようにする段階と並行するか又は連続的とすることができる。ある一定の実施形態では、携帯ロッカー１６の一体型保管システム２５０からの解除をトリガする信号をポーチ４８のアンロックから分離することにより、乗り手１４により迅速に立ち去るように促すことができる。すなわち、そのアンロッキング（例えば、送信されたアンロッキング信号による）は、降車行程中にグズグズしないように乗り物車両２２６から離れた場所でのみ可能にすることができる。従って、乗り手１４は、彼らの携帯ロッカー１６を乗り物車両２２６からアンロッキング場所まで持っていく場合がある。
【００５４】
ある一定の実施形態では、遊園地乗り物１０への乗り降りを待っている間に、彼らの固定されていないアイテム２０、特に携帯電話にアクセスすることが乗り手には望ましい場合がある。従って、ある一定の実施形態では、携帯ロッカー１６は、乗り手１４が乗車中に常に彼らの固定されていないアイテム２０を所持することができるように着用可能にすることができる（例えば、着用式ロッカー）。携帯ロッカー１６は、乗り手１４又は１又は２以上の業務員２８（例えば、列又はアクセス点の管理を任務とする遊園地従業員）が携帯ロッカー１６を乗り手１４に固定することができるようにする特徴を含むことができる。このようにして、この実施形態は、乗り手１４が彼らの固定されていないアイテム２０を乗り物１０の上に携行することができるようにし、これは、乗車ステーションに彼ら個人のアイテムを残して乗り物１０に向うのと比べて乗り手１４に対して安心であると考えられる。図１５は、遊園地乗り物１０の作動前、作動中、及び作動後に遊園地乗り物１０の乗り手１４が着用することができる着用式ポーチ３１０の実施形態を示している。すなわち、乗り手１４は、乗り物体験中に常に着用式ポーチ３１０に保管されたアイテムを所持することができる。着用式ポーチ３１０は、様々なアイテム及び乗り手の好みに適応するように様々なサイズ及び形状とすることができる。遊園地乗り物１０の作動中に保管されたアイテム２０へのアクセスを低減するために、着用式ポーチ３１０は、そのアンロックを阻止する特徴を含むことができる。
【００５５】
これに加えて、着用式ポーチ３１０は、アイテム２０が着用式ポーチ３１０に保管された後での乗り手１４による携帯電話又は他の電子デバイスの使用を阻止又は許可することができる特徴を含むことができる。例えば、ある一定の実施形態では、着用式ポーチ３１０は、そこに保管された電子デバイス上のタッチスクリーンを乗り手１４が見る及び／又はアクセスすることを妨げる不透明材料で製造することができる。他の実施形態では、ポーチ材料は、着用式ポーチ３１０内に保管された電子デバイスのボタン又はタッチスクリーンにアクセスするのに適さない厚みを有することができる。これに加えて、着用式ポーチ３１０は、そこに保管された電子デバイスが信号を送信することができないようにファラデーケージとして作用することができる。アイテム２０が着用式ポーチ３１０内に保管されてロックされた後に乗り手１４が電子デバイス（例えば、携帯電話、デジタルカメラなど）を使用することができるようにする実施形態では、着用式ポーチ３１０は、透明材料で製造することができる。一部の実施形態では、着用式ポーチ３１０は、写真又はその内部のデバイスの作動を阻止又は許可するためにモード間で移行可能である場合がある。例えば、写真が許可されない区域では、ポーチの電子機器への送信により、透過性を変えること、例えば、ポーチに対して領域を透明から不透明に（例えば、液晶で）変えさせることができる。
【００５６】
図示の実施形態では、着用式ポーチ３１０は、乗り手１４が着用式ポーチ３１０を身の回りに固定することができるようにするロッキング機構３２０を有する拘束具３１６を含む。例えば、図１５に示すように、着用式ポーチ３１０は、乗り手１４の腰３２４に拘束される。上述の携帯ロッカー１６と同様に、着用式ポーチ３１０は、遊園地乗り物１０の作動中に乗り手のアイテムを保管するのに使用することができるポーチ３３０と、ポーチ３３０内にアイテムを固定するポーチロック３３２とを含む。例えば、図１６に示すように、拘束具３１６は、第１の終端部３４６にロッキング機構３２０の第１の部分３４２と、離間して実質的に反対側にある第２の終端部３５０にロッキング機構３２０の第２の部分３４８とを有するストラップ又はベルト３４０を含むことができる。ロッキング機構の第１の部分３４２は、ロッキング機構３２０の第２の部分３４８と係合し、ベルト３４０の終端部３４６、３５０を結合し、それによって着用式ポーチ３１０を乗り手１４に固定することができる。非限定的な例として、ロッキング機構３２０は、クリップ、バックル、スナップ嵌めコネクタ、又は着用式ポーチ３１０を乗り手１４に固定することができる他の適切なロッキング機構を含む。ある一定の実施形態では、拘束具３１６は、様々な形及びサイズの乗り手に適応するように調節可能にすることができる。
【００５７】
ある一定の実施形態では、ロッキング機構３２０は、ポーチロック３３２と通信的に結合することができる（例えば、無線又は有線接続）。例えば、図１７は、ロッキング機構３２０が拘束ロック３５４を含む着用式ポーチ３１０の実施形態を示し、その拘束ロック３５４は、起動された状態で、ポーチロック３３２がアンロックされるのを阻止することができる。すなわち、ロッキング機構３２０がロックして拘束ロック３５４を起動し、着用式ポーチ３１０を乗り手１４に固定した状態で、ロッキング機構３２０は、乗り物１０の作動中に乗り手１４がポーチロック３３２をアンロックしてポーチ３３０を開き、ポーチ内に保管されたアイテムにアクセスすることを阻止することができる。例えば、ロッキング機構３２０は、乗り手１４が遊園地乗り物１０の制御点（例えば、制御点２４）を通過する時にポーチロック３３２にロッキング信号３５８を送信する送信機３５６を含むことができる。同様に、ロッキング機構３２０は、乗り物１０が完了して乗り物車両２２６が降車ステーション２１４に着いた後でアンロッキング信号３５９をポーチロック３３２に送信することができる。一部の実施形態では、拘束ロック３５４とポーチロック３３２は同じ機構である。
【００５８】
ある一定の実施形態では、オペレータ（例えば、１又は２以上の業務員２８）は、乗り手１４が乗り物車両２２６に搭乗する前に、拘束ロック３５４とポーチ３３０のポーチロック３３２との両方を乗車ステーション２１２でロックすることができる。例えば、拘束ロック３５４及びポーチロック３３２は、乗り物１０のオペレータだけがアクセス可能な鍵を使用してロックしてアンロックされる機械式ロック（例えば、ファスナ、コネクタ、又はロックなど）を含むことができる。乗り手１４が乗り物車両２２６に搭乗する時に、オペレータは、ポーチロック３３２及び拘束ロック３５４をそれぞれ鍵でロックすることができる。他の実施形態では、ポーチロック３３２及び拘束ロック３５４は電磁式ロックを含む。従って、乗り物車両２２６に搭乗する前に、乗り手１４は、乗車ステーション２１２（例えば、制御点２４）に配置された第１の電磁ステーションを通過することができる。電磁ステーションは、無線信号をポーチロック３３２及び拘束ロック３５４に送信し、それによってポーチロック３３２及び拘束ロック３５４をロックする。遊園地乗り物１０が完了した状態で、乗り手１４は、降車ステーション２１４にある第２の電磁ステーション（例えば、ＲＦＩＤゲート４０）を通過することができる。第１の電磁ステーションと同様に、第２の電磁ステーションは、ポーチロック３３２及び拘束ロック３５４に第２の信号を送信し、それによってポーチ３３０及び拘束具３１６をそれぞれアンロックし、乗り手１４が保管されたアイテムを取り出せるようにする。乗り手１４は、遊園地乗り物１０から出て行く前に着用式ポーチ３１０を保管箱に入れることができる。
【００５９】
ある一定の実施形態では、遊園地乗り物１０の作動中に、乗り手１４が拘束ロック３５４にアクセスすることができない方式で拘束具３１６を乗り手に配置することができる。このようにして、乗り手１４は、遊園地乗り物１０に乗っている間、着用式ポーチ３１０を取り外せない場合がある。例えば、図１４〜１７に示す実施形態では、着用式ポーチ３１０の拘束具３１６は、ポーチ３３０が乗り手１４の前側に配置され、拘束ロック３５４が乗り手１４の横側又は背側に配置されるようにベルトと同様に乗り手の腰３２４に巻き付く。拘束ロック３５４を乗り手１４の横側又は背側に配置することにより、乗り物１０の作動中に乗り手１４は拘束ロック３５４へのアクセスが制限されるか又はアクセスがすることができないと考えられる。従って、乗り手１４は、乗り物１０を楽しんでいる間、拘束ロック３５４をアンロックすることができないと考えられる。
【００６０】
図１８〜２１は、着用式ポーチ３１０に関連付けられた拘束具３１６の他の様々な実施形態を示している。例えば、図１８は、バックパック様の構成を有する着用式ポーチ３１０の一実施形態を示している。例えば、図１８に示すように、着用式ポーチ３１０の拘束具３１６は、各々がロッキング機構３２０を通じてポーチ３３０と互いとに接続された１組のストラップ３６０を含む。ストラップ３６０は、様々な形及びサイズの乗り手に適応するように調節可能とすることができる。使用中に、乗り手１４は、ポーチ３３０が乗り手１４の前側に配置されるように、１組のストラップ３６０の各ストラップが定めるそれぞれのループ３６４の中に各腕を滑り込ませることができる。遊園地乗り物１０オペレータ又は乗り手１４は、乗り手１４の背側に（例えば、乗り手の腰と肩の間に）拘束ロック３５４を固定し、１組のストラップ３６０の各ストラップを結合して着用式ポーチ３１０を乗り手１４に固定することができる。このようにして、乗り手１４は、遊園地乗り物１０の作動中に拘束ロック３５４にアクセスすることができないと考えられる。従って、乗り手１４は、遊園地乗り物１０の作動中に着用式ポーチ３１０を取り外せないと考えられ、それにより、着用式ポーチ３１０及びポーチ３３０内に保管されたアイテム（例えば、固定されていないアイテム２０）の紛失を防ぐことができる。
【００６１】
図１９も、１組のストラップ３６０がサッシュ様の構成に配置された（例えば、１組のストラップ３６０のうちの１つのストラップが乗り手の腰の右側から乗り手の肩の左側へ又はその逆に対角線で乗り手１４を横切って延びるようにする）着用式ポーチ３１０の実施形態を示している。例えば、図示の実施形態では、１組のストラップ３６０の第１ストラップ３６８は、乗り手１４の腰３２４の周りに配置することができ（例えば、ベルトと同様に）、１組のストラップ３６０の第２ストラップ３７０は、第２のストラップ３７０が乗り手１４の肩に巻き付いて、かつ第２ストラップ３７０が乗り手１４の肩に巻き付く側とは反対の位置で乗り手１４の背側にある第１ストラップ３６８と接続されるように、乗り手１４の胴体を横切って（例えば、乗り手１４の右側から左側へ又はその逆に）配置することができる。この構成のロッキング機構３２０は、乗り手１４が届きにくいように配置することができる。従って、乗り物オペレータ又は他の遊園地来園者は、ロッキング機構３２０の係合及び係合解除を支援する場合がある。これに加えて、これらの着用式ポーチの各実施形態のロッキング機構３２０は、電子鍵などを使用して乗り物オペレータだけが作動させることができるように構成することができる。
【００６２】
ある一定の実施形態では、着用式ポーチ３１０は、乗り手１４が着用式ポーチ３１０内に保管された電子機器（例えば、携帯電話、カメラなど）上の特徴を起動することができるようにする特徴を含むことができる。例えば、着用式ポーチ３１０は、ビデオ及び／又は写真撮影を可能にすることができるトリガを含むことができる。着用式ポーチ３１０は、トリガを作動させてビデオ及び／又は写真撮影を可能にするために乗り手１４が使用するリモコンを有することができる。一実施形態では、着用式ポーチ３１０は、遊園地乗り物１０の作動中に又は遊園地全体を通して特定の場所で乗り手１４が携帯電話でビデオ及び／又は写真を撮影することを阻止する送信機を含むことができる。これは、トリガを無効にすることで行うことができる。一実施形態では、送信機は、着用式ポーチ３１０に保管された電子デバイスに信号を送信して区域が制限されていると警告することができ、ビデオ及び写真撮影は許可されない。例えば、電子デバイスはカメラを妨害する命令を受信する場合がある。これは、着用式ポーチ３１０上の送信機を通じて又はエリア送信機から直接的に達成することができる。他の実施形態では、着用式ポ―チ３１０自体が、特定区域で送信機から信号を受信した時に、例えば、透明なアクセス窓を遮ることによってアクセスを阻止する作動が可能である場合がある。乗り手／来園者が制限区域を離れた状態で、送信機は、乗り手／来園者が制限区域内にいないことを示す出力を与えることができ、ビデオ及び／又は写真撮影が許可される。
【００６３】
本発明の開示の実施形態はまた、ポーチ３３０及び／又は拘束具３１６がロックされた後で（例えば、遊園地乗り物１０に搭乗する前に）乗り手１４が彼らの携帯電話にアクセス可能であるようにポーチ３３０から分離可能な電話ケースを有する着用式ポーチを含む。例えば、図２０及び２１は、格納式ラニヤード３８０に接続された電話ケース３７４（例えば、ポーチ）を有する着用式ポーチ３１０の実施形態を示している。格納式ラニヤード３８０は、ポーチ３３０の一部を形成するリール３８２に接続することができる。遊園地乗り物１０に搭乗する前に、乗り手１４は、電話ケース３７４をポーチ３３０から離れるように引っ張って彼らの携帯電話３８６にアクセスして関わることができる。例えば、乗り手１４が電話ケース３７４に引張力３９０を加えると、リール３８２は軸腺３９２の周りに方向３９４へ（例えば、反時計回りに）回転し、格納式ラニヤード３８０をほどく（図２１参照）。リール３８２は、格納式ラニヤード３８０を放出するために回転し続けることができ、それにより、ポーチ３３０と電話ケース３７４間の距離３９６が増大する。リール３８２は自動的に又は手動でロックし、乗り手１４が格納式ラニヤード３８０に引張力３９０を連続的に加えなくても格納式ラニヤード３８０を電話ケース３７４から望ましい距離３９６に維持することができる。
【００６４】
乗り手１４がもはや電話ケース３７４内の携帯電話３８６に関わっていない状態で、リール３８２をアンロックし、格納式ラニヤード３８０が引っ込むことを可能にすることができ、それにより、ポーチ３３０と電話ケース３７４間の距離３９６が減少する。例えば、リールは、方向３９４と実質的に反対の方向に（例えば、時計回りに）に軸腺３９２の周りに回転して格納式ラニヤード３８０を巻き取り、電話ケース３７４とポーチ３３０間の距離３９６を低減することができる。このようにして、電話ケース３７４を着用式ポーチ３１０の拘束具３１６に固定することができる。電話ケース３７４は、携帯電話３８６が使用中でない時に及び遊園地乗り物１０の作動中に乗り手１４が電話ケース３７４を拘束具３１６のストラップ３６０に固定することができるようにするクリップ又はファスナ４００（例えば、スナップ嵌めコネクタ、磁石、又はあらゆる他の適切なファスナ）を有することができる。一実施形態では、リール３８６は、リール３８６の巻き出しを無効にする内部ロック（例えば、ピン及びロック機構）を有することができる。一実施形態では、リール３８６は無効化されないが、デバイス（例えば、電話）は、リール３８６が巻き取り／巻き出しをされた場合でもデバイスが実質的に移動することができないようにある一定の位置でクリップ留め／ロックされる。
【００６５】
リール３８６は、乗り手が遊園地乗り物に搭乗する時にリール内のロッキング機構を起動することができるセンサ４０６を含むことができる。例えば、センサは、ロッキング機構の格納モード(retracting mode)を起動する信号を乗り物車両から受信することができる。巻き取りモードにある間、ロッキング機構は、自動的に格納式ラニヤードを引っ込めて（例えば、巻き取って）ポーチと電話ケース間の距離を低減し、乗り手が電話ケースを着用式ポーチの拘束具に固定することができるようにすることができる。ロッキング機構は、乗り手が電話ケースに引張力を加えた時に、格納式ラニヤードが放出される（例えば、巻き出る）のを阻止することができる。このようにして、乗り手１４は、遊園地乗り物１０の作動中に携帯電話３８６にアクセスすることができないとすることができる。遊園地乗り物１０が完了した状態で、センサ４０６は、乗り物車両２２６又は降車ステーション２１４内のアンロックステーション(unlocking station)（例えば、ＲＦＩＤゲート４０）からロッキング機構を解除することができる解除信号を受信し、電話ケース３７４内の携帯電話３８６にアクセスして関わるために乗り手１４が格納式ラニヤード３８０を巻き出せるようにすることができる。
【００６６】
遊園地乗り物の固定されていないアイテムの管理を容易にすることに加えて、携帯ロッカー１６は、複数の携帯ロッカー１６をその複数の携帯ロッカー１６の携帯ロッカー内に入れ子にされて含む娯楽システムの一部とすることができる。複数の携帯ロッカー１６の各携帯ロッカーのロッキング機構５６は、異なる鍵（例えば、機械式又は電磁式）を使用して異なる時間に起動及び／又は解除することができる。例えば、図２２は、複数のサブポーチ４２０を含むポーチ４１６を有する娯楽システム４１０の実施形態を示し、ここでは複数のサブポーチ４２０の各ポーチは、複数のサブポーチ４２０の別のポーチ内で入れ子になっている。最も内側のポーチ４２４は、最も外側のポーチ４１６から最も内側のポーチ４２４まで各ポーチ４１６、４２０、４２４をアンロックした後にユーザが取り出すことができる賞品４２６（例えば、賞品、アクセサリなど）を含むことができる。
【００６７】
例えば、図２２に示すように、娯楽システム４１０は、別のポーチ内に入れ子にされた１組のポーチ４１６、４２０、４２４を有するスカベンジャーハントポーチキットとすることができる。図示の実施形態では、スカベンジャーハントポーチキットは、３つのポーチを含む。しかし、あらゆる他の適切な数のポーチを使用することができる。最も内側のポーチ４２４は、第２のポーチ４３０内に入れ子になるような形状及びサイズにされ、第２のポーチ４３０は、最も外側のポーチ４１６内に入れ子になるような形状及びサイズにされる。各ポーチ４１６、４２４、４３０は、ユーザをアンロックステーションに誘導する１組の手がかりを辿ることによってユーザがアンロックすることができるポーチロック４３４を含み、そのアンロックステーションでは、待望のポーチ４１６、４２４、４３０がアンロックされて前のポーチ内に入れ子になったポーチを露出させ、ユーザを第２のアンロックステーションに誘導する次の手がかりを提供することができる。ユーザは、最も内側のポーチ４２４にアクセス可能になるまで手がかりにアクセスして複数のポーチ４２０をアンロックし続けることができ、最も内側のポーチ４２４内に保管された（例えば、一連のＲＦＩＤロック４３４により）賞品４２６をユーザによって取り出すことができる。
【００６８】
ある一定の実施形態では、スカベンジャーハントポーチキットは、複数のポーチを含まない場合がある。むしろ、スカベンジャーハントポーチキットは、遊園地全体を通して異なるアンロックステーションでそれぞれアンロック可能な複数のポーチロックを有する単一ポーチを含むことができる。ユーザは、全てのポーチロックがアンロックされた後でポーチ内の賞品を取り出すことができる。
【００６９】
遊園地乗り物上で固定されていないアイテムを管理する従来のシステム及び方法は、来園者がこれらのアイテムを持って関連の待ち行列建物に絶対に入らないようにすることにより、来園者が「固定されていないアイテム」を持ち込むのを防ぐ。しかし、来園者は待機時間中に彼らのアイテムに対してより多くの管理及びアクセスを維持することを好むと今日認識されている。本発明の実施形態は、来園者が彼らのアイテムを待ち行列建物に持ち込むことを可能にし、一方で来園者がアイテムをポケットに入れることによって乗り物自体に秘かに持ち込むのを防ぐ。
【００７０】
本明細書では本発明のある一定の特徴のみを図示して説明したが、当業者は多くの修正及び変形を想起するであろう。従って、添付の特許請求の範囲は、全ての修正及び変形を本発明の真の精神に該当するとして網羅するように意図していることは理解されるものとする。
【図１】
0006752985.tif 000002
【図２】
0006752985.tif 000003
【図３】
0006752985.tif 000004
【図４】
0006752985.tif 000005
【図５】
0006752985.tif 000006
【図６】
0006752985.tif 000007
【図７】
0006752985.tif 000008
【図８】
0006752985.tif 000009
【図９】
0006752985.tif 000010
【図１０Ａ】
0006752985.tif 000011
【図１０Ｂ】
0006752985.tif 000012
【図１０Ｃ】
0006752985.tif 000013
【図１１】
0006752985.tif 000014
【図１２】
0006752985.tif 000015
【図１３】
0006752985.tif 000016
【図１４】
0006752985.tif 000017
【図１５】
0006752985.tif 000018
【図１６】
0006752985.tif 000019
【図１７】
0006752985.tif 000020
【図１８】
0006752985.tif 000021
【図１９】
0006752985.tif 000022
【図２０】
0006752985.tif 000023
【図２１】
0006752985.tif 000024
【図２２】
0006752985.tif 000025